(57)【要約】【課題】水泳初級者が伏し浮きの姿勢又は背浮きの姿勢で体を水平に保つことができ、着脱が容易で、かつ、共用が可能な水泳補助具の提供。【解決手段】  本発明の一態様に係る水泳補助具１００は、泳者１０１の体の右側面及び左側面にそれぞれ固定される左右一対の水中浮揚部材１０と、各水中浮揚部材１０を泳者１０１の体に固定する固定部材２０と、を備えている。【選択図】図１
2020130457.tif 000002
【特許請求の範囲】
【請求項１】
泳者の体の右側面及び左側面にそれぞれ固定される左右一対の水中浮揚部材と、
前記各水中浮揚部材を泳者の体に固定する固定部材と、を備えた水泳補助具。
【請求項２】
各水中浮揚部材の浮心が腰部よりも下方に位置している、請求項１に記載の水泳補助具。
【請求項３】
前記各水中浮揚部材は、上端が泳者の胴部よりも下方に位置している、請求項１又は２に記載の水泳補助具。
【請求項４】
前記各水中浮揚部材は、下端が泳者の膝よりも上方に位置している、請求項１乃至３のうちいずれか一の項に記載の水泳補助具。
【請求項５】
前記固定部材は、
両方の水中浮揚部材に連結され泳者の腰部に巻きつける腰部ベルトと、
対応する水中浮揚部材に連結され泳者の大腿部に巻きつける左右一対の大腿部ベルトと、を有する、請求項１乃至４のうちいずれか一の項に記載の水泳補助具。
【請求項６】
前記各水中浮揚部材は、
泳者の股関節よりも上方に位置する上方部と、
泳者の股関節よりも下方に位置する下方部と、を有し、
前記上方部は前記下方部よりも前後方向寸法が大きい、請求項５に記載の水泳補助具。
【請求項７】
前記上方部は前記腰部ベルトが連結される腰部ベルト連結部を有し、
前記下方部は前記大腿部ベルトが連結される大腿部ベルト連結部を有する、請求項６に記載の水泳補助具。
【請求項８】
前記腰部ベルト連結部は、前記上方部を貫通する貫通孔によって構成され、
前記大腿部ベルト連結部は、前記下方部を貫通する貫通孔によって構成されている、請求項７に記載の水泳補助具。
【請求項９】
前記大腿部ベルト連結部は泳者の股部よりも上方に位置している、請求項７又は８に記載の水泳補助具。
【請求項１０】
前記上方部は前記下方部よりも厚みが小さい、請求項６乃至９のうちいずれか一の項に記載の水泳補助具。
【請求項１１】
前記各水中浮揚部材は、水平方向の断面視において、外方に凸の湾曲形状を有する、請求項６乃至１０のうちいずれか一の項に記載の水泳補助具。
【請求項１２】
前記各水中浮揚部材は、外表面に上下方向に延びる断面凹状の縦溝部が形成されている、請求項６乃至１１のうちいずれか一の項に記載の水泳補助具。
【請求項１３】
前記各水中浮揚部材は、外表面に前後方向に延びる断面凹状の横溝部が形成されている、請求項６乃至１２のうちいずれか一の項に記載の水泳補助具。
【請求項１４】
前記横溝部は、前記上方部と前記下方部の境界部分に形成されている、請求項１３に記載の水泳補助具。
【発明の詳細な説明】
【技術分野】
【０００１】
本発明は、泳者の体に装着する水泳補助具に関する。
【背景技術】
【０００２】
水泳の練習を行う際、体が沈まないように泳者の体に水泳補助具を装着する場合がある。このような水泳補助具として、水中で浮揚する水中浮揚部材を泳者の胴部背面側に固定するものが知られている（一例として、特許文献１参照）。また、浮力を得るためにウェットスーツ生地（発泡体生地）で形成したハーフパンツ型の水着も市販されている。
【先行技術文献】
【特許文献】
【０００３】
【特許文献１】登録実用新案３２１１６７８号公報
【発明の概要】
【発明が解決しようとする課題】
【０００４】
人間の体の「重心」は腰部付近に位置しているのに対し、人間の体にかかる浮力の中心である「浮心」は、腰部よりも上方に位置している。これは、浮き袋の役割を果たす肺が上半身に位置しているためである。水泳上級者であれば、腹式呼吸を行って横隔膜を下げることにより浮心を下方に移動させるとともに、腕および肩を上方側へ伸ばすことにより重心を上方に移動させることで、浮心と重心を一致させることができる。そのため、水泳上級者は、うつ伏せ状態で水に浮く「伏し浮き」の姿勢、又は仰向けの状態で水に浮く「背浮き」の姿勢において体を水平に保つことができる。しかしながら、水泳初級者は浮心と重心を一致させることは難しく、伏し浮きの姿勢又は背浮きの姿勢をとると上半身が浮き上がり下半身が沈んでしまう。
【０００５】
そのような理由から、水泳初級者が上述した水泳補助具を体に装着し、胴部背面側に水中浮揚部材を固定した場合、水中浮揚部材の浮心は体の重心である腰部よりも上方に位置してしまうため、伏し浮きの姿勢又は背浮きの姿勢で上半身が浮き上がり下半身が沈んでしまうという問題は改善されず、むしろ助長される。さらに、胴部背面側に水中浮揚部材を固定すると、伏し浮きの姿勢で水中浮揚部材が水面よりも上方に浮き上がってしまって浮力が小さくなることから、泳者は水中浮揚部材を沈めようとして無理な態勢をとる傾向にある。このような姿勢で水泳の練習が行われると、水泳の上達が妨げられるだけでなく、悪い癖がつくおそれがある。
【０００６】
一方、ウェットスーツ生地で形成されたハーフパンツ型の水着は、一般的な水着に比べて硬く変形しにくいため、着脱が面倒である上、硬く変形しにくい生地が大腿部の前側および背側にまで身体に密着して位置するため水泳時のキックに伴う大腿部の動きの妨げとなる。また、上記の水着は、他の水泳補助具と異なり共用するのが難しいため個人で所有する必要があるが、一般的な水着よりも高価な上に水泳の上達に伴って浮力の小さいタイプに買い替えなければならない。このような理由から、ウェットスーツ生地で形成されたハーフパンツ型の水着は広く普及しているとは言い難い。
【０００７】
以上のような事情から、本発明は水泳初級者が伏し浮きの姿勢又は背浮きの姿勢で体を水平に保つことができ、着脱が容易で、水泳に伴う動作の妨げにならず、かつ、共用が可能な水泳補助具を提供することを目的としている。
【課題を解決するための手段】
【０００８】
本発明の一態様に係る水泳補助具は、泳者の体の右側面及び左側面にそれぞれ固定される左右一対の水中浮揚部材と、各水中浮揚部材の浮心が腰部よりも下方に位置するように、前記各水中浮揚部材を泳者の体に固定する固定部材と、を備えている。なお、ここでの方向の概念は、水泳補助具を装着した泳者が立った状態における泳者の体を基準とした方向の概念に一致するものとする。
【０００９】
上記の構成では、泳者の体の右側面及び左側面にそれぞれ水中浮揚部材が固定されるため、伏し浮きの姿勢又は背浮きの姿勢で水中浮揚部材の大部分が水中に沈む。これにより、水中浮揚部材が十分な浮力を得ることができ、泳者が無理な姿勢をとるのを抑制することができる。したがって、水泳初級者が上記の水泳補助具を装着することにより、伏し浮きの姿勢又は背浮きの姿勢で体を水平に保つことができる。また、上記の構成では、固定部材を用いて左右一対の水中浮揚部材を泳者の体に固定するため、水中浮揚部材自体をハーフパンツ型の水着に形成する必要がない。そのため、上記の水泳補助具によれば、着脱が容易で、水泳に伴う動作の妨げにならず、かつ、共用が可能となる。
【００１０】
上記の水泳補助具において、各水中浮揚部材の浮心が腰部よりも下方に位置するようにしてもよい。
【００１１】
この構成によれば、各水中浮揚部材の浮心が体の重心である腰部よりも下方に位置するため、体の浮心と水中浮揚部材の浮心との間に体の重心が位置することになる。これにより、泳者の体と水中浮揚部材を１つの浮揚体としてみたとき、浮心と重心をほぼ一致させることができる。そのため、水泳初級者が上記の水泳補助具を装着することにより、伏し浮きの姿勢又は背浮きの姿勢で体をより一層水平に保つことができる。
【００１２】
上記の水泳補助具において、前記各水中浮揚部材は、上端が泳者の胴部よりも下方に位置していてもよい。
【００１３】
この構成によれば、各水中浮揚部材は上端が泳者の胴部よりも下方に位置するため、クロールや背泳ぎなどで腕を回転させたときに、腕が水中浮揚部材に接触するのを抑制することができる。
【００１４】
上記の水泳補助具において、前記各水中浮揚部材は、下端が泳者の膝よりも上方に位置していてもよい。
【００１５】
この構成によれば、各水中浮揚部材は下端が泳者の膝よりも上方に位置するため、泳者が泳ぐ際に水中浮揚部材が足の動きの妨げになるのを抑制することができる。
【００１６】
上記の水泳補助具において、前記固定部材は、左右一対の水中浮揚部材を固定できれば何でもよいが、一例として両方の水中浮揚部材に連結され泳者の腰部に巻きつける腰部ベルトと、対応する水中浮揚部材に連結され泳者の大腿部に巻きつける左右一対の大腿部ベルトと、を有する形態が挙げられる。
【００１７】
この構成によれば、腰部ベルトと大腿部ベルトを用いて各水中浮揚部材を泳者の体に固定するため、各水中浮揚部材を容易に、かつ、確実に泳者の体に固定することができる。
【００１８】
上記の水泳補助具において、前記各水中浮揚部材の形状については特に規定は無いが、泳者の股関節よりも上方に位置する上方部と、泳者の股関節よりも下方に位置する下方部と、を有し、前記上方部は前記下方部よりも前後方向寸法が大きいことが好ましい。
【００１９】
この構成では、水中浮揚部材の上方部が股関節よりも上方に位置しているが、この股関節よりも上方の部分は、大腿部の動きの影響が小さい部分である。そのため、上記のとおり上方部の前後方向寸法を下方部の前後方向寸法よりも大きくすることにより、大腿部の動きに影響されやすい部分が相対的に減り、使用中における水中浮揚部材の位置ずれを抑制することができる。
【００２０】
上記の水泳補助具において、前記上方部は前記腰部ベルトが連結される腰部ベルト連結部を有し、前記下方部は前記大腿部ベルトが連結される大腿部ベルト連結部を有するようにしてもよい。
【００２１】
この構成によれば、水中浮揚部材の上方部が腰部ベルトに連結されることになるため、腰部ベルトによって水中浮揚部材の上方部を泳者の腰部にしっかりと固定することができる。また、水中浮揚部材の下方部が大腿部ベルトに連結されることになるため、大腿部ベルトによって下方部を泳者の大腿部に固定することができ、下方部を大腿部の動きに追従させることができる。その結果、使用中における水中浮揚部材の位置ずれを抑制することができる。
【００２２】
上記の水泳補助具において、前記腰部ベルト連結部は、前記上方部を貫通する貫通孔によって構成され、前記大腿部ベルト連結部は、前記下方部を貫通する貫通孔によって構成されていてもよい。
【００２３】
この構成によれば、簡易な構成でありながら、各水中浮揚部材に腰部ベルト及び大腿部ベルトをしっかりと連結することができる。
【００２４】
上記の水泳補助具において、前記大腿部ベルト連結部は泳者の股部よりも上方に位置していてもよい。
【００２５】
この構成によれば、大腿部ベルトを締め付けたときに大腿部ベルトが上方に引き上げられて、大腿部ベルトを泳者の股部に係止させることができる。その結果、使用中における水中浮揚部材の位置ずれを抑制することができる。
【００２６】
上記の水泳補助具において、前記上方部は前記下方部よりも厚みが小さくてもよい。
【００２７】
水中浮揚部材の上方部は、下方部に対して泳者が泳ぐときの進行方向側に位置する。そのため、上記のとおり進行方向側に位置する上方部が下方部よりも厚みを小さくすることにより、泳者が泳ぐと水中浮揚部材が水によって泳者の体に押し付けられることになる。その結果、使用中における水中浮揚部材の位置ずれを抑制することができる。
【００２８】
上記の水泳補助具において、前記各水中浮揚部材は、水平方向の断面視において、外方に凸の湾曲形状を有していてもよい。
【００２９】
この構成によれば、各水中浮揚部材を泳者の体に沿って固定することができるため、泳者が泳ぐ際に、水中浮揚部材と泳者の体の間に水が流れ込むのを抑制することができる。その結果、使用中における水中浮揚部材の位置ずれを抑制することができる。
【００３０】
上記の水泳補助具において、前記各水中浮揚部材は、外表面に上下方向に延びる断面凹状の縦溝部が形成されていてもよい。
【００３１】
この構成によれば、縦溝部に沿って各水中浮揚部材を折り曲げることで、泳者の体の形状に合わせて変形させることができる。これにより、泳者が泳ぐ際に、水中浮揚部材と泳者の体の間に水が流れ込むのを抑制することができる。その結果、使用中における水中浮揚部材の位置ずれを抑制することができる。
【００３２】
上記の水泳補助具において、前記各水中浮揚部材は、外表面に前後方向に延びる断面凹状の横溝部が形成されていてもよい。
【００３３】
この構成によれば、横溝部に沿って各水中浮揚部材を折り曲げることで、泳者の体の形状に合わせて変形させることができる。これにより、泳者が泳ぐ際に、水中浮揚部材と泳者の体の間に水が流れ込むのを抑制することができる。その結果、使用中における水中浮揚部材の位置ずれを抑制することができる。
【００３４】
上記の水泳補助具において、前記横溝部は、前記上方部と前記下方部の境界部分に形成されていてもよい。
【００３５】
この構成によれば、上方部と下方部の境界部分に横溝部が形成されるため、水中浮揚部材の下方部が上方部に対して変位しやすくなり、上方部が大腿部の動きから受ける影響を低減することができる。その結果、使用中における水中浮揚部材の位置ずれを抑制することができる。
【発明の効果】
【００３６】
上記の構成によれば、水泳初級者が伏し浮きの姿勢又は背浮きの姿勢で体を水平に保つことができ、着脱が容易で、かつ、共用が可能な水泳補助具を提供することができる。
【図面の簡単な説明】
【００３７】
【図１】図１は、装着状態における水泳補助具の正面図である。
【図２】図２は、装着状態における水泳補助具の側面図である。
【図３】図３は、図２に示す水中浮揚部材の拡大図である。
【図４】図４は、図３のIV−IV矢視断面図である。
【図５】図５は、図３のV−V矢視断面図である。
【発明を実施するための形態】
【００３８】
以下、本発明の実施形態に係る水泳補助具について説明する。以下では、はじめに水泳補助具の全体構成について説明し、その後に水泳補助具が備える水中浮揚部材の形状等について詳しく説明する。
【００３９】
＜水泳補助具の全体構成＞
本実施形態に係る水泳補助具１００は、泳者１０１の体に装着して泳者の泳ぎを補助する器具である。図１は装着状態における水泳補助具１００の正面図であり、図２は装着状態における水泳補助具１００の側面図である。
【００４０】
なお、以下の説明における方向の概念は、特に言及がない限り、水泳補助具１００を装着した泳者１０１が立った状態における泳者１０１を基準とした方向の概念に一致するものとする。例えば、泳者１０１の頭が位置する方向が上方となり、つま先が位置する方向下方となる。また、以下で説明する「胴部」とは上半身のへそよりも上方の部分をいい、「腰部」とは骨盤の上端部に相当する部分をいい、「股部」とは左右の大腿部の境界部分をいい、「大腿部」とは股関節から膝関節までの大腿骨に相当する部分をいうものとする。
【００４１】
図１及び図２に示すように、本実施形態に係る水泳補助具１００は、左右一対の水中浮揚部材１０と、固定部材２０と、を備えている。以下、これらの構成要素について順に説明する。
【００４２】
水中浮揚部材１０は、水中で浮揚して泳者１０１の体が沈まないようにするための部材である。本実施形態の水中浮揚部材１０は、主に発泡ポリエチレンで形成されているが、水中浮揚部材１０の材質はこれに限定されない。水中浮揚部材１０は、水中で浮揚する部材であればよく、内部に空気を封入可能な袋状の部材で構成されていてもよい。本実施形態の水中浮揚部材１０は、泳者１０１の体の右側面及び左側面のそれぞれに固定されている。そのため、伏し浮きの姿勢又は背浮きの姿勢で水中浮揚部材１０の大部分が水中に沈んで浮力を得ることができる。これにより、泳者１０１が無理な姿勢をとるのを抑制することができる。
【００４３】
また、本実施形態の水中浮揚部材１０は、上下方向において、水中浮揚部材１０の浮心１１が泳者１０１の骨盤上下方向中央付近に位置するように固定されている。つまり、水中浮揚部材１０の浮心１１が泳者１０１の重心にあたる腰部よりも下方に位置するように固定されている。そのため、泳者１０１の体の浮心と水中浮揚部材の浮心１１との間に、泳者１０１の体の重心が位置することになる。これにより、泳者１０１の体と水中浮揚部材１０を１つの浮揚体としてみたとき、その浮揚体における浮心と重心をほぼ一致させることができる。その結果、水泳初級者が本実施形態に係る水泳補助具１００を装着することで、伏し浮きの姿勢又は背浮きの姿勢で体を水平に保つことができる。
【００４４】
なお、本実施形態に係る水泳補助具１００は、水中浮揚部材１０の形状の他、水中浮揚部材１０を形成する材料の比重を変更することにより、泳者の年齢・体重・体格等に合わせて、浮心１１の位置を調整することができる。例えば、水中浮揚部材１０が発泡ポリエチレンで形成されている場合、発泡倍率の異なる発泡ポリエチレンを用いることで、形状は同じでも異なる浮力を得ることができる。また、水中浮揚部材１０を複数の領域に分割し、各領域の各発泡倍率の値を変更することで、水中浮揚部材１０の浮心１１を調整することもできる。
【００４５】
また、水中浮揚部材１０の上端は、泳者１０１の腰部付近に位置している。つまり、水中浮揚部材１０の上端は、泳者１０１の胴部よりも下方に位置している。そのため、泳者１０１が水泳補助具１００を装着した状態で、クロールや背泳ぎなどで腕を回転させたとしても、腕が水中浮揚部材１０に接触するのを抑制することができる。ただし、水中浮揚部材１０の上端の位置は、上述した位置に限定されない。
【００４６】
また、水中浮揚部材１０の下端は、泳者１０１の膝よりも上方に位置している。さらに言えば、水中浮揚部材１０の下端は、大腿部の上下方向中央よりも上方に位置している。そのため、泳者１０１が水泳補助具１００を装着した状態で泳ぐ際、水中浮揚部材１０が泳者１０１の足の動きの妨げになるのを抑制することができる。ただし、水中浮揚部材１０の下端の位置は、上述した位置に限定されない。
【００４７】
続いて、固定部材２０について説明する。固定部材２０は、水中浮揚部材１０を上述した位置に固定するための部材であり、この機能が実現されるならば特に限定はされない。本実施形態では、着用した水着の上から各水中浮揚部材１０を泳者１０１の体に固定する。図１及び図２に示すように、本実施形態の固定部材２０は、腰部ベルト２１と、左右一対の大腿部ベルト２２とを有している。
【００４８】
腰部ベルト２１は、左右両方の水中浮揚部材１０に連結されており、泳者１０１の腰部に巻きつけるベルトである。腰部ベルト２１は、腰部ベルト２１の両端を互いに接続するとともに、腰部ベルト２１の長さを調節可能なバックル２３を有している。腰部ベルト２１の長さを適切に調節して泳者１０１の腰部に巻きつけることにより、水中浮揚部材１０を泳者１０１の腰部にしっかりと固定することができる。なお、腰部ベルト２１は、バックル２３に代えて面ファスナー等を有していてもよい。
【００４９】
大腿部ベルト２２は、対応する水中浮揚部材１０に連結されており、泳者１０１の大腿部に巻きつけるベルトである。大腿部ベルト２２は、大腿部ベルト２２の両端を互いに接続するとともに、大腿部ベルト２２の長さを調節可能なバックル２４を有している。大腿部ベルト２２の長さを適切に調節して泳者１０１の大腿部に巻きつけることにより、水中浮揚部材１０を泳者１０１の大腿部にしっかりと固定することができる。なお、大腿部ベルト２２は、バックル２４に代えて面ファスナー等を有していてもよい。
【００５０】
本実施形態の固定部材２０は、上述した腰部ベルト２１と左右一対の大腿部ベルト２２を用いて水中浮揚部材１０を泳者１０１の体に固定している。そのため、泳者１０１の体の大きさにかかわらず水中浮揚部材１０をしっかりと固定することができる。また、本実施形態では、固定部材２０を用いて左右一対の水中浮揚部材１０を泳者１０１の体に着脱可能に固定するため、水中浮揚部材１０自体をハーフパンツ型の水着に形成する必要がない。そのため、本実施形態に係る水泳補助具１００は、着脱が容易で、水泳に伴う動作の妨げにならず、かつ、共用が可能である。
【００５１】
ただし、固定部材２０の構成は上述したものに限定されない。例えば、固定部材２０は、水中浮揚部材１０が取り付けられた、又は、水中浮揚部材１０を挿入可能なポケットを有するハーフパンツで構成されていてもよい。このポケットにおいて、水中浮揚部材１０を内部に挿入する方向は、特定の方向に限定されない。例えば、水中浮揚部材１０をポケットの上側から挿入できるようにしてもよく、下側から挿入できるようにしてもよく、前側から挿入できるようにしてもよく、後側から挿入できるようにしてもよい。この場合、固定部材２０であるハーフパンツを着用することで、水中浮揚部材１０を泳者１０１に固定することができる。なお、当該ハーフパンツを一般的な水着の生地など比較的やわらかく、大腿部の前後方向への動きを妨げない生地で形成すれば着脱は容易であり、水泳に伴う動作の妨げにならず、水着の上から着用すれば共用も可能であり、また水中浮揚部材１０が交換可能になることで、泳者に適した浮心の位置や浮力に調整することも可能となる。また、固定部材２０は、ひも状の部材で構成されていてもよい。この場合、腰部に対応するひも状の部材を泳者１０１の腰部に巻き付けて結ぶとともに、大腿部に対応するひも状の部材を大腿部に巻き付けて結べばよい。
【００５２】
＜水中浮揚部材の詳細＞
次に、水中浮揚部材１０の詳細について説明する。図３は、図２に示す水中浮揚部材１０の拡大図である。また、図４は図３のIV−IV矢視断面図であり、図５は図３のV−V矢視断面図である。つまり、図４は水中浮揚部材１０の鉛直方向の断面図であり、図５は水中浮揚部材１０の水平方向の断面図である。図３は、左右一対の水中浮揚部材１０のうち、泳者１０１の体の左側面に固定される水中浮揚部材１０を示している。泳者１０１の体の右側面に固定される水中浮揚部材１０は、泳者１０１の中心を通過し左右方向に対して垂直な仮想面を基準にして、泳者１０１の体の左側面に固定される水中浮揚部材１０と対称の形状を有している。
【００５３】
図３に示すように、水中浮揚部材１０は、水中浮揚部材１０の上方側の部分にあたる上方部１２と、下方側の部分にあたる下方部１３と、を有している。上方部１２は泳者１０１の股関節よりも上方に、つまり大腿部よりも上方に位置している（図１参照）。一方、下方部１３は泳者１０１の股関節よりも下方に、つまり大腿部に対応する位置に位置している（図１参照）。
【００５４】
水中浮揚部材１０はＴ字状の形状を有しており、上方部１２の前後方向寸法Ｗ１は、下方部１３の前後方向寸法Ｗ２よりも大きい。そして、上方部１２が位置する部分は、大腿部よりも上方にあたるため、大腿部の動きの影響が小さい。そのため、本実施形態によれば、上方部１２の前後方向寸法Ｗ１と下方部１３の前後方向寸法Ｗ２が同じ場合に比べて、大腿部の動きによる影響が低減され、水中浮揚部材１０をしっかりと泳者１０１の体に固定することができる。その結果、使用中における水中浮揚部材１０の位置ずれを抑制することができる。
【００５５】
上方部１２は腰部ベルト２１が連結される腰部ベルト連結部１４を有している。腰部ベルト連結部１４は、上方部１２を貫通する２つの貫通孔１６で形成されており、これらの貫通孔１６に腰部ベルト２１を通すことで上方部１２が腰部ベルト２１に連結される。そのため、腰部ベルト２１によって水中浮揚部材１０の上方部１２を泳者１０１の腰部にしっかりと固定することができる。
【００５６】
下方部１３は大腿部ベルト２２が連結される大腿部ベルト連結部１５を有している。大腿部ベルト連結部１５は、下方部１３を貫通する２つの貫通孔１７で形成されており、これらの貫通孔１７に大腿部ベルト２２を通すことで下方部１３が大腿部ベルト２２に連結される。そのため、大腿部ベルト２２によって下方部１３を泳者１０１の大腿部にしっかりと固定することができ、下方部１３を大腿部の動きに追従させることができる。その結果、使用中における水中浮揚部材１０の位置ずれを抑制することができる。
【００５７】
上記のとおり、腰部ベルト連結部１４は貫通孔１６で形成されており、大腿部ベルト連結部１５は貫通孔１７で形成されている。そのため、簡易な構成でありながら、各水中浮揚部材１０を腰部ベルト２１及び大腿部ベルト２２にしっかりと連結することができる。
【００５８】
ただし、腰部ベルト連結部１４及び大腿部ベルト連結部１５は上記のような構成に限定されない。例えば、腰部ベルト連結部１４は上方部１２に固定され水平方向に延びて内部を腰部ベルト２１か通過する筒状（スリーブ状）の部材で構成されていてもよく、大腿部ベルト連結部１５は下方部１３に固定され水平方向に延びて内部を大腿部ベルト２２が通過する筒状（スリーブ状）の部材で構成されていてもよい。また、腰部ベルト連結部１４及び大腿部ベルト連結部１５は、面ファスナー等によって構成されていてもよい。
【００５９】
また、図１及び図３に示すように、大腿部ベルト連結部１５は泳者１０１の股部よりも上方に位置している。これにより、大腿部ベルト２２を締め付けたときに大腿部ベルト２２が上方に引き上げられて、大腿部ベルト２２を泳者１０１の股部に係止させることができる。その結果、使用中における水中浮揚部材１０の位置ずれを抑制することができる。
【００６０】
また、水中浮揚部材１０は板状に形成されている。ただし、図４に示すように、水中浮揚部材１０は上方部１２において上端から下方に向かうに従って厚みが大きくなっている。さらに、下方部１３の上方部分においても下方に向かうに従って厚みが大きくなり、下方部１３の上下方向中央部分で厚みが最も大きくなり、下方部分では下方に向かうに従って厚みが小さくなっている。図４において、上方部１２の厚みＴ１は、下方部１３の厚みＴ２よりも小さい。このように、水中浮揚部材１０は、鉛直方向の断面視において、下方部１３の上下方向中央付近で厚みが最も大きくなる外方に凸の形状を有している。そして、水中浮揚部材１０の上方部１２は、下方部１３に対して泳者が泳ぐときの進行方向側に位置している。これにより、泳者１０１が泳いだとき、水中浮揚部材１０が水によって泳者１０１の体に押し付けられることになる。その結果、使用中における水中浮揚部材１０の位置ずれを抑制することができる。
【００６１】
さらに、図５に示すように、水中浮揚部材１０は、水平方向の断面視において湾曲している。具体的には、水中浮揚部材１０は、外方に凸の湾曲形状を有している。そのため、水中浮揚部材１０を泳者１０１の体に沿って固定することができ、泳者１０１が泳ぐ際に、水中浮揚部材１０と泳者の体の間に水が流れ込むのを抑制することができる。その結果、使用中における水中浮揚部材１０の位置ずれを抑制することができる。ただし、水中浮揚部材１０は、平板状の形状を有していてもよい。
【００６２】
また、図３に示すように、水中浮揚部材１０は、外表面に上下方向に延びる縦溝部１８が形成されている。図５に示すように、縦溝部１８は断面視において内側（泳者１０１の体側）に窪む断面凹状の形状を有している。そのため、縦溝部１８に沿って水中浮揚部材１０を折り曲げることができ、泳者１０１の体の形状に合わせて変形させることができる。なお、縦溝部１８に沿って切込を形成してもよい。上記の構成によれば、泳者１０１が泳ぐ際に、水中浮揚部材１０と泳者１０１の体の間に水が流れ込むのを抑制することができる。その結果、使用中における水中浮揚部材１０の位置ずれを抑制することができる。この縦溝部１８の本数・長さ・形状は限定されない。
【００６３】
また、図３に示すように、各水中浮揚部材１０は、外表面に前後方向に延びる横溝部１９が形成されている。図４に示すように、横溝部１９は断面視において内側（泳者１０１の体側）に窪む断面凹状の形状を有している。そのため、横溝部１９に沿って水中浮揚部材１０を折り曲げることができ、泳者１０１の体の形状に合わせて変形させることができる。なお、横溝部１９に沿って切込を形成してもよい。上記の構成によれば、泳者１０１が泳ぐ際に、水中浮揚部材１０と泳者１０１の体の間に水が流れ込むのを抑制することができる。その結果、使用中における水中浮揚部材１０の位置ずれを抑制することができる。この横溝部１９の本数・長さ・形状は限定されない。
【００６４】
さらに、横溝部１９は、上方部１２と下方部１３の境界部分に形成されている。つまり、横溝部１９は、大腿部の付け根部分にあたる股関節に対応する部分に位置している。そのため、下方部１３が上方部１２に対して変位しやすくなり、泳者１０１が大腿部を動かしたときに、上方部１２は腰部付近に固定されたまま、下方部１３を泳者１０１の大腿部の動きに追従させることができる。その結果、使用中における水中浮揚部材１０の位置ずれを抑制することができる。
【００６５】
なお、以上では、各水中浮揚部材１０が１つの部材で構成されている場合について説明したが、水中浮揚部材１０は複数の部材で構成されていてもよい。例えば、上方部１２と下方部１３が別の部材であり、上方部１２と下方部１３がひも状の部材で連結されていてもよい。
【符号の説明】
【００６６】
１０  水中浮揚部材
１１  浮心
１２  上方部
１３  下方部
１４  腰部ベルト連結部
１５  大腿部ベルト連結部
１６  貫通孔
１７  貫通孔
１８  縦溝部
１９  縦溝部
２０  固定部材
２１  腰部ベルト
２２  大腿部ベルト
１００  水泳補助具
１０１  泳者
【図１】
2020130457.tif 000003
【図２】
2020130457.tif 000004
【図３】
2020130457.tif 000005
【図４】
2020130457.tif 000006
【図５】
2020130457.tif 000007